(57)【要約】  いくつかの実施形態によるトランスレーショントランシーバ装置が、ＳＤ型装置互換送信を受信するための６０ＧＨｚ帯域受信機を有する。復調器がＳＤ型送信を復調する。復号器が、復調済みのＳＤ型送信を受信データに復号化する。ＡＤ型符号器が、受信データを符号化してＡＤ型送信機互換データを生成する。ＡＤ型変調器がＡＤ型送信機互換データを変調し、ＡＤ型６０ＧＨｚ帯域送信機が、変調済みのＡＤ型送信機互換データを送信する。他の実施形態は本要約書に記載した特徴から逸脱する場合があるので、本要約書を限定的なものと見なすべきではない。【選択図】図５
2011509636.tif 000002
【特許請求の範囲】
【請求項１】
ＳＤ型装置互換送信を受信するための６０ＧＨｚ帯域受信機と、
前記ＳＤ型送信を復調するための復調器と、
前記復調済みのＳＤ型送信を受信データに復号化するための復号器と、
前記受信データを符号化してＡＤ型送信機互換データを生成するためのＡＤ型符号器と、
前記ＡＤ型送信機互換データを変調するためのＡＤ型変調器と、
前記変調済みのＡＤ型送信機互換データを送信するためのＡＤ型６０ＧＨｚ帯域送信機と、
ＡＤ型装置互換送信を受信するための６０ＧＨｚ帯域受信機と、
前記ＡＤ型送信を復調するための復調器と、
前記復調済みのＡＤ型送信を受信データに復号化するための復号器と、
前記受信データを符号化してＳＤ型送信機互換データを生成するためのＳＤ型符号器と、
前記ＳＤ型送信機互換データを変調するためのＳＤ型変調器と、
前記変調済みのＳＤ型送信互換データを送信するためのＳＤ型６０ＧＨｚ帯域送信機と、
を含むことを特徴とするトランスレーショントランシーバ装置。
【請求項２】
前記ＳＤ型トランシーバのバッテリを充電するための充電手段をさらに含む、
ことを特徴とする請求項１に記載のトランスレーショントランシーバ装置。
【請求項３】
ビーム形成可能及び操作可能アンテナアレイを使用して、前記ＡＤ型送信機が送信を行い、前記ＡＤ型受信機が受信を行う、
ことを特徴とする請求項１に記載のトランスレーショントランシーバ装置。
【請求項４】
前記ＳＤ型装置を機械的に受け入れるためのクレードルをさらに含む、
ことを特徴とする請求項１に記載のトランスレーショントランシーバ装置。
【請求項５】
前記ＳＤ型装置に電力を供給して前記ＳＤ型装置に充電又は給電を行うための電源をさらに含む、
ことを特徴とする請求項１に記載のトランスレーショントランシーバ装置。
【請求項６】
前記電源が、直接接続電源及び誘導電源の一方を含む、
ことを特徴とする請求項５に記載のトランスレーショントランシーバ装置。
【請求項７】
前記ＳＤ型装置のデータスループットが最適化される、
ことを特徴とする請求項１に記載のトランスレーショントランシーバ。
【請求項８】
前記ＳＤ型装置が、タイプＩ装置及びタイプII装置のハイブリッド機能を有する装置を含む、
ことを特徴とする請求項１に記載のトランスレーショントランシーバ装置。
【請求項９】
前記ＡＤ型装置が、タイプII装置及びタイプIII装置のハイブリッド機能を有する装置を含む、
ことを特徴とする請求項１に記載のトランスレーショントランシーバ装置。
【請求項１０】
前記ＳＤ型装置が、タイプＩ装置及びタイプII装置の一方を含む、
ことを特徴とする請求項１に記載のトランスレーショントランシーバ装置。
【請求項１１】
前記ＡＤ型装置が、タイプII装置及びタイプIII装置の一方を含む、
ことを特徴とする請求項１に記載のトランスレーショントランシーバ装置。
【請求項１２】
ＳＤ型装置互換送信を受信するための６０ＧＨｚ帯域受信機と、
前記ＳＤ型送信を復調するための復調器と、
前記復調済みのＳＤ型送信を受信データに復号化するための復号器と、
前記受信データを符号化してＡＤ型送信機互換データを生成するためのＡＤ型符号器と、
前記ＡＤ型送信機互換データを変調するためのＡＤ型変調器と、
前記変調済みのＡＤ型送信機互換データを送信するためのＡＤ型６０ＧＨｚ帯域送信機と、
を含むことを特徴とするトランスレーショントランシーバ装置。
【請求項１３】
前記ＳＤ型トランシーバのバッテリを充電するための充電手段をさらに含む、
ことを特徴とする請求項１２に記載のトランスレーショントランシーバ装置。
【請求項１４】
ＡＤ型装置互換送信を受信するための６０ＧＨｚ帯域受信機と、
前記ＡＤ型送信を復調するための復調器と、
前記復調済みのＡＤ型送信を受信データに復号化するための復号器と、
前記受信データを符号化してＳＤ型送信機互換データを生成するためのＳＤ型符号器と、
前記ＳＤ型送信機互換データを変調するためのＳＤ型変調器と、
前記変調済みのＳＤ型送信機互換データを送信するためのＳＤ型６０ＧＨｚ帯域送信機と、
をさらに含み、前記ＡＤ型送信機が、ビーム形成可能及び操作可能アンテナアレイを含む、
ことを特徴とする請求項１３に記載のトランスレーショントランシーバ装置。
【請求項１５】
前記ＳＤ型装置を機械的に受け入れるためのクレードルをさらに含む、
ことを特徴とする請求項１４に記載のトランスレーショントランシーバ装置。
【請求項１６】
前記ＳＤ型装置に電力を供給して前記ＳＤ型装置に充電又は給電を行うための電源をさらに含む、
ことを特徴とする請求項１４に記載のトランスレーショントランシーバ装置。
【請求項１７】
前記電源が、直接接続電源及び誘導電源の一方を含む、
ことを特徴とする請求項１６に記載のトランスレーショントランシーバ装置。
【請求項１８】
前記ＳＤ型装置が、タイプＩ装置及びタイプII装置のハイブリッド機能を有する装置を含む、
ことを特徴とする請求項１４に記載のトランスレーショントランシーバ装置。
【請求項１９】
前記ＡＤ型装置が、タイプII装置及びタイプIII装置のハイブリッド機能を有する装置を含む、
ことを特徴とする請求項１４に記載のトランスレーショントランシーバ装置。
【請求項２０】
前記ＳＤ型装置が、タイプＩ装置及びタイプII装置の一方を含む、
ことを特徴とする請求項１４に記載のトランスレーショントランシーバ装置。
【請求項２１】
前記ＡＤ型装置が、タイプII装置及びタイプIII装置の一方を含む、
ことを特徴とする請求項１４に記載のトランスレーショントランシーバ装置。
【請求項２２】
ＳＤ型装置互換送信を受信するための６０ＧＨｚ帯域受信機と、
前記ＳＤ型送信を復調するための復調器と、
前記復調済みのＳＤ型送信を受信データに復号化するための復号器と、
前記受信データを符号化してＡＤ型送信機互換データを生成するためのＡＤ型符号器と、
前記ＡＤ型送信機互換データを変調するためのＡＤ型変調器と、
前記変調済みのＡＤ型送信機互換データを送信するためのＡＤ型６０ＧＨｚ帯域送信機と、
ＡＤ型装置互換送信を受信するための６０ＧＨｚ帯域受信機と、
前記ＡＤ型送信を復調するための復調器と、
前記復調済みのＡＤ型送信を受信データに復号化するための復号器と、
前記受信データを符号化してＳＤ型送信機互換データを生成するためのＳＤ型符号器と、
前記ＳＤ型送信機互換データを変調するためのＳＤ型変調器と、
前記変調済みのＳＤ型送信機互換データを送信するためのＳＤ型６０ＧＨｚ帯域送信機と、
前記ＡＤ型送信機及びＡＤ型受信機が使用するビーム形成可能及び操作可能アンテナアレイと、
前記ＳＤ型装置を機械的に受け入れるためのクレードルと、
前記ＳＤ型装置に電力を供給して前記ＳＤ型装置に充電又は給電を行うための電源と、
を含むことを特徴とするトランスレーショントランシーバ装置。
【請求項２３】
前記電源が、直接接続電源及び誘導電源の一方を含む、
ことを特徴とする請求項２２に記載のトランスレーショントランシーバ装置。
【請求項２４】
前記ＡＤ型受信信号及び前記ＳＤ型受信信号からそれぞれクロック信号を回復する第１及び第２のクロック回復回路をさらに含む、
ことを特徴とする請求項２２に記載のトランスレーショントランシーバ装置。
【請求項２５】
前記ＳＤ型装置が、タイプＩ装置及びタイプII装置のハイブリッド機能を有する装置を含む、
ことを特徴とする請求項２２に記載のトランスレーショントランシーバ装置。
【請求項２６】
前記ＡＤ型装置が、タイプII装置及びタイプIII装置のハイブリッド機能を有する装置を含む、
ことを特徴とする請求項２２に記載のトランスレーショントランシーバ装置。
【請求項２７】
前記ＳＤ型装置が、タイプＩ装置及びタイプII装置の一方を含む、
ことを特徴とする請求項２２に記載のトランスレーショントランシーバ装置。
【請求項２８】
前記ＡＤ型装置が、タイプII装置及びタイプIII装置の一方を含む、
ことを特徴とする請求項２２に記載のトランスレーショントランシーバ装置。
【発明の詳細な説明】
【技術分野】
【０００１】
（関連出願との相互参照）
本出願は、２００８年１０月１日に出願された米国仮特許出願第６１／０２０，２１８号の優先権の利益を主張するものであり、該特許出願は引用により本明細書に組み入れられる。
【０００２】
（著作権及び商標の表示）
本特許文書の開示部分は、著作権保護の対象内容を含む。著作権の権利所有者は、合衆国特許商標庁の特許ファイル又は記録内に表されるとおりに特許文書又は特許開示を複製することには異議を唱えないが、それ以外は全ての著作権を留保する。商標は、これらそれぞれの所有者の所有物である。
【背景技術】
【０００３】
現在のところ、米国電気電子学会、ＥＣＭＡ国際及び無線ＨＤ特別利益団体（ＩＥＥＥ８０２．１５．３ｃ、ｅｃｍａ  ｔｇ２０、ＷｉＨＤ）などの様々な標準化グループにより、６０ＧＨｚ帯域を対象にしたバルクデータ転送、高解像度マルチメディアストリーミング及び無線パーソナルエリアネットワーキングに使用するための３種類もの装置が検討中である。これらの装置のための統一した専門用語及び仕様は完成していないが、一般にこれらの３つの装置は、非常に単純な近距離装置、より複雑な中距離装置、及びさらに高度な長距離装置であると考えることができる。
【０００４】
歴史的見地から言えば、標準規格団体は、非常に単純な近距離装置及びより複雑な長距離装置の２つのカテゴリの装置のみを考慮して標準化努力を開始した。標準設定プロセスが展開するにつれ、より単純であった装置がより複雑になり、より多岐にわたる装置に対する必要性が提案され、本明細書の作成時点では、これが採用される方向へ向けて進行中と思われる。本明細書の作成時点では、このような３つの装置カテゴリが標準化へ向けて進んでいると思われるが、最終的には３つ以外のカテゴリが標準規格作成団体から出てくる可能性がある。
【０００５】
標準規格団体から展開される装置の結果及び最終的な数及び正確な仕様に関わらず、本明細書では、より単純な装置をＳＤ型装置等と呼び、より複雑な装置をＡＤ型装置等と呼ぶ。しかしながら、いずれの場合にも、指示子ＳＤ又はＡＤは相対語として受け取るべきである。すなわち、ＳＤ装置とはＡＤ装置よりも単純な装置のことである。一例として、及び限定的な意味ではなく、実施形態によっては、第１のタイプ（別名、進化型装置‐ＡＤ）及び第２のタイプ（別名、単純装置‐ＳＤ）が、異なる変調方式、ビットレート、メディアアクセス制御（ＭＡＣ）の上位集合又は下位集合、戻り経路などを有することができるものもある。ＳＤ型装置が、自身の一般的な目的の方向に装置を手動で「向ける」ように要求する場合があるのに対し、ＡＤは、自身のターゲット装置を自動的に発見して接続を維持することはできるが、ビーム操作及び／又はビーム形成を行うために、様々な進化した信号処理を利用して直接的なラインオブサイト（ＬＯＳ）経路を遮断する。以下でより詳細に説明するように、一般にＡＤ装置は、ＳＤよりも有効距離及びスループットが大きい。
【０００６】
さらに、最終的に３つの装置標準が浮上するシナリオでは、ＡＤという用語は、ＳＤとは対照的に２つの最も複雑な装置を混合した機能を有する装置を含むことができる。これとは別に、ＳＤ装置は、２つのそれほど複雑でない装置を混合した機能を含むことができる。しかしながらいずれの場合でも、これらの用語は、本文書との関連においては相対的なものであると見なすべきである。
【発明の概要】
【課題を解決するための手段】
【０００７】
添付の図面とともに以下の詳細な説明を参照することにより、動作の構成及び方法を示すいくつかの例示的な実施形態を、その目的及び利点とともに最も良く理解することができる。
【図面の簡単な説明】
【０００８】
【図１】２つのＳＤ型装置間の通信を示す図である。
【図２】２つのＡＤ型装置間の通信を示す図である。
【図３】テレビ受信機装置と通信するハンドヘルド装置に組み込まれたＳＤ型装置の使用を示す図である。
【図４】本発明のいくつかの実施形態による方法における、ＴＤＳを使用した長距離非ラインオブサイト（ＮＬＯＳ）通信を示す図である。
【図５】本発明の１つの実施形態による誘導充電器メカニズムを設けたトランシーバのドッキングステーションを示すブロック図である。
【図６】本発明のいくつかの実施形態による有線充電器構成を設けたトランシーバのドッキングステーションを示す別の実施形態である。
【図７】本発明のいくつかの実施形態による、クレードル又は充電を一体部品として使用しないトランシーバトランスレータを示すブロック図である。
【発明を実施するための形態】
【０００９】
本発明は、多くの異なる形の実施形態が可能であるが、図面には特定の実施形態を示すとともに本明細書で詳細に説明しており、このような実施形態の開示は原理の一例として見なすべきであり、図示及び説明する特定の実施形態に本発明を限定することを意図するものではない。以下の説明では、図面のいくつかの図において同じ参照番号を使用して同様の、類似の又は一致する部分について説明する。
【００１０】
本明細書で使用する「１つの（英文不定冠詞）」という用語は、１又は１よりも多い、と定義される。本明細書で使用する「複数の」という用語は、２又は２よりも多い、と定義される。本明細書で使用する「別の」という用語は、少なくとも第２の又はそれ以上の、と定義される。本明細書で使用する「含む（ｉｎｃｌｕｄｉｎｇ）」及び／又は「有する（ｈａｖｉｎｇ）」という用語は、「からなる（ｃｏｍｐｒｉｓｉｎｇ）」（すなわち包括的な用語）と定義される。本明細書で使用する「結合される」という用語は、必ずしも直接的接続、及び、必ずしも機械的接続を定義するものではないが、「接続される」と定義される。本明細書で使用する「プログラム」又は「コンピュータプログラム」という用語又は類似の用語は、コンピュータシステム上での実行を意図された一連の命令であると定義される。「プログラム」又は「コンピュータプログラム」は、実行可能なアプリケーション、アプレット、サーブレット、ソースコード、オブジェクトコード、共用ライブラリ／ダイナミックロードライブラリ、及び／又は、コンピュータシステム上での実行を意図されたその他の一連の命令における、サブルーチン、関数、手順、オブジェクト方法、オブジェクトの実行を含むことができる。
【００１１】
本明細書を通じて、「１つの実施形態」、「いくつかの実施形態」、「ある実施形態」、又は類似の用語に対する言及は、実施形態に関連して説明する特定の特徴、構造又は特性が、本発明の少なくとも１つの実施形態に含まれることを意味する。従って、本明細書を通じて至るところに出現するこのような語句は、必ずしも全てが同じ実施形態について言及するものではない。さらに、本発明を限定しない１又はそれ以上の実施形態では、これらの特定の特徴、構造又は特性をあらゆる好適な態様で組み合わせることができる。
【００１２】
本明細書で使用する「又は」という用語は、いずれか１つ又はいずれかの組合せを含み、或いは意味するものとして解釈すべきである。従って、「Ａ、Ｂ又はＣ」は、「Ａ、Ｂ、Ｃ、ＡとＢ、ＡとＣ、ＢとＣ、ＡとＢとＣ、のいずれか」を意味する。この定義に対する例外は、要素、関数、ステップ又は行為の組み合わせが、何らかの方法で本質的に相互に相容れない場合にのみ生じる。
【００１３】
本発明によるいくつかの実施形態によれば、（単純なアンテナ、ラインオブサイト（ＬＯＳ）用途のミリ波などを有する）低出力装置が（高出力、より複雑なアンテナ、非ラインオブサイト（ＮＬＯＳ）などを有する）より複雑な装置に変換される。本開示によれば、「ラインオブサイト」という用語は、一般に壁などの実質的な中間障害物のない装置間の直接経路のことを意味し、「非ラインオブサイト」は、地球の湾曲及び地形によって課せられる制限に対立するものとして信号を妨げる障害物が存在する可能性を意味する（しかしながら、このような地球の湾曲及び地形の制限は除外されない）。
【００１４】
このような２種類の装置のみを対象とした、最終的に採用されるあらゆる数の標準に論理的かつ容易に拡張される当初提案されていた標準について検討することは有用である。上述したように、当初は、様々な標準化グループ（ＩＥＥＥ８０２．１５．３ｃ、ｅｃｍａ  ｔｇ２０、無線ＨＤ（別名、ＷｉＨＤ））により、国際的に利用可能な無認可の６０ＧＨｚ周波数帯域（米国では５７〜６４ＧＨｚ、日本及びヨーロッパでは５９〜６６ＧＨｚの周波数帯域を意味する）を対象にしたバルクデータ転送、非圧縮高解像度マルチメディアストリーミング及び無線パーソナルエリアネットワーキングに使用するための２種類のｍｍ波通信装置が検討されていた。これらの装置のための統一した専門用語及び仕様は未だはっきりしていない（従って、本明細書で使用する新しく作った専門用語の使用を必要とする）が、一般的には、当初提案されていた２つの装置を、単純な近距離装置対より高度な長距離装置と見なすことができる。本明細書では、２つの装置のみの規格標準の例において、より単純な装置をＳＤ型装置等と呼ぶことができ、より複雑な装置をＡＤ型装置と呼ぶことができる。これらの２種類の装置は、異なる変調方式、ビットレート、ＭＡＣ、戻り経路などを有するように提案された。提案されたＳＤ型装置が、自身の一般的な目的の方向に装置を手動で「向ける」ように要求するのに対し、提案されたＡＤは、自身のターゲット装置を自動的に発見して接続を維持することはできるが、（ビーム形成及びビーム操作を使用することなどにより）直接的なラインオブサイト（ＬＯＳ）経路を遮断する。
【００１５】
（ＡＤ型装置と考えることができる）より複雑な装置タイプは、ストリーミングメディア、通常は非ラインオブサイト（ＮＬＯＳ）モードにおける非圧縮高解像度（ＨＤ）ビデオを対象とする。一般に、これらの用途は、ビーム操作及び／又はビーム形成技術が可能な複雑なアンテナシステム、及び（一般的には１０メートルよりも長い）到達距離及び持続時間（何時間にもわたる継続動作）の両方のためにかなりの消費電力を必要とする。一般に、ＡＤ装置は、約１０メートル前後の距離、ＳＤ型装置で使用されるものよりも高度な変調を有する装置であり、直交周波数分割多重（ＯＦＤＭ）又はシングルキャリアブロック伝送（ＳＣ−ＢＴ）又はその他の複雑な変調方式を含むことができ、アンテナシステムは、一般にＳＤ型装置のものよりも高度なアンテナアレイを使用して実装され、このようなアンテナアレイは、特定の仕様及び実装にもよるが、例えばビーム形成及び操作及び／又はＭｕｌｔｉｐｌｅ  Ｉｎ  Ｍｕｌｔｉｐｌｅ  Ｏｕｔ（ＭＩＭＯ）アンテナ技術を利用して、ＮＬＯＳ状態におけるより良い性能を可能にするとともに装置をターゲットに向ける必要性をなくす。１つの標準規格団体（ＥＣＭＡ）がこのような装置を「タイプＡ」と呼ぶのに対し、別の標準規格団体（ＷｉＨＤ）は、「ステーション」又は「コーディネータ」という名前を提案している。ＡＤ型装置に対するデータレート提案は、約１〜１０Ｇｂｐｓの範囲になるように提案されており、潜在的には２０Ｇｂｐｓ以上まで増加する。「タイプＡ」装置の主な使用事例としては、３．２ＧｂｐｓＭＡＣ  ＳＡＰを超えるビットレートで非圧縮ＨＤビデオをストリーミングすることが挙げられる。
【００１６】
（２つの装置の規格標準の提案の下で本明細書ではＳＤ型装置と呼ぶことができる）第２の装置タイプは、低電力しか必要としない持ち運び用途を対象とし、通常、ユーザに装置を大まかな使用方向に「向ける」ことを要求する恐らくは単純な指向性アンテナを使用する。ＥＣＭＡは、このような装置をタイプＢ又はタイプＣと呼び、タイプＣは１Ｍの距離を有し、タイプＢは３Ｍの距離を有する。主な用途は、受信側装置から約１メートル未満又は数メートル未満離れたＬＯＳ（ラインオブサイト）環境で動作するファイル転送である。用途として除外するわけではないが、ＳＤ型装置からのメディアのストリーミングは可能ではあるものの、充電器を使用しなければ電力が枯渇し、距離が限定されることによりその有用性はさらに制限される。大まかに言えば、このようなＳＤ装置は、単純な非操作性（及び同様に指向性）アンテナ構成、直交振幅変調（ＱＡＭ）などのより単純な変調、例えば、二位相偏移変調（ＢＰＳＫ）、又はオンオフキーイング（ＯＯＫ）変調、１メートル未満又は３メートル未満の距離（しかしながら、一般には約５メートル未満が仮定されるが、その規格及び実装に基づいて異なる）、バッテリで給電できるようにするための低消費電力、及び数百Ｍｂｐｓ（例えば、タイプＣ  ＥＣＭＡ装置には３８０Ｍｂｐsが提案されている）〜数Ｇｂｐｓの範囲のデータレートを利用する。
【００１７】
本明細書の作成時点では、標準規格団体は、より単純な２装置の概念から３装置の概念に移行していると思われる。能力から区別するのではなく、装置の相対的な複雑性、スループット及び特徴セットに基づいて装置を差別化して分類するために、標準化された専門用語のセットが存在しないので、最新の提案を最も複雑なものから最も単純なものに降下する順にそれぞれタイプＩ、タイプII及びタイプIIIと見なすことができる。（高度な、中間の及び単純な、又は高度な、単純な及び非常に単純なといった用語を考えることもできるが、それにも関らず、上記で案出したようなＳＤ装置とＡＤ装置との区別により、いずれか２つのこのような装置は互いに関連すると考えることができる）。
【００１８】
一例として及び限定的な意味ではなく、提案される３つの装置タイプの場合、このような装置の１つの考えられる特徴は以下の通りである。
【００１９】
タイプＩの装置は、数百の搬送波を（当初提案されていた高度な装置に匹敵する仕様の４〜６ＧＨｚなどの）比較的高いデータレートで搬送できるＯＦＤＭなどの複雑な変調システムを有すると特徴付けることができ、ビーム形成及びビーム操作能力により、装置が代替えの及び恐らくは間接的な経路、比較的高い出力及び関連する高い消費電力の要求を使用することにより、定速で動く対象の周りでアンテナビームを操作できるようになる。
【００２０】
当初意図された用途に対する出力要求が大きすぎる最も単純な装置に、中間的な能力を特徴として進化させたタイプII装置が追加されたが、この結果、より優れたファイル転送能力及びより長い距離を有することができるようになった。同様に、約３メートルあまりの距離に対する適度に複雑な変調及び中間出力を有するように進化した。このような装置には、ビーム形成などの特徴を組み込むことはできるが、例えばビーム操作を除外することもできる。説明している全ての提案される標準規格と同様に、本明細書の作成時点では未だ正確な特徴セットが決定されていない。
【００２１】
タイプIII装置は、当初計画した２つの装置のシナリオのうちの単純な方の特徴をほぼ保持しており、単純な指向性アンテナ及び約５００Ｍｂｐｓ未満の低ファイル転送出力による（ＡＳＫ又はＯＯＫなどの）単純な（単複の）変調方式のみを有し、主にＭＰ３プレーヤ、ＰＤＡなどのハンドヘルドポータブル装置における使用を計画されたままである。
【００２２】
これらのタイプに基づいて、本発明の実施形態による例示的なトランスレータ／トランシーバは、タイプII又はIIIの低データレート／より単純な変調を採用し、これらをタイプＩの高速変調にトランスコードし、高度なビーム操作、ビーム形成及びタイプＩの出力技術を使用すると同時に、適当なフレーミング、ヘッダ、プリアンブルなどを形成することができる。当然ながら、肯定応答（ＡＣＫ）又はその他の制御方法又はこれらの組み合わせをバッファし、又は使用して、タイプII及び／又はタイプIIの装置へのデータレートをこれらの装置がサポートできるデータレートに下げることにより、より高速なタイプＩ装置のデータ転送速度を遅くしたトランシーバを使用してこの逆も逆方向に実現される。
【００２３】
従って、この歴史的な見地では、装置の相対的な複雑性との関連において６０ＧＨｚ装置を検討することが依然として適便かつ適切である。従って、全体を通じてＳＤ及びＡＤという用語を相対語として使用する。従って、例えば３つの装置のシナリオでは、ＡＤ／ＳＤが対になった装置は、タイプＩ／タイプII、又はタイプＩ／タイプIII、又はタイプII／タイプIIIのいずれであってもよい。さらに、最終的な標準規格に応じ、タイプＩ＋タイプII、又はタイプII＋タイプIIIのハイブリッド機能を有する装置に遭遇することを予測することができる。このような場合、ＡＤ／ＳＤが対になった装置を、タイプＩ／（タイプII＋タイプIII）、又は（タイプＩ＋タイプII）／タイプIIIとして具体化することができる。当然ながら、標準規格団体が装置カテゴリの数を、現在提案されている２又は３を超えて拡張した場合には、概念を論理的にあらゆる数の装置に拡張することができる。これらのタイプの装置は、必須の標準化モードをサポートする必要があり、任意の標準化モードをサポートすることができ、サポートされるデータレート及び変調方式を全てが増やすことができる専用モードをさらにサポートすることができる。
【００２４】
一般に、本発明の実施形態による装置は、ＳＤに対する任意のモードをサポートする一方で、ＡＤのためにサポートされるモードにブリッジすることにより、より単純な装置の利用可能な性能を最大化することが意図される。従って、本明細書で説明するようなＳＤ及びＡＤ装置は、一般に、上述したように相対語で定義される。しかしながら、本明細書の作成時点では、このようなＳＤ及びＡＤ装置に関する標準規格は完成しておらず、従って変更されることがある。しかしながら、これらの技術の最終的な標準化に関わらず、当業者であれば、相対的能力により、本教示を考慮すればすぐにどの装置がどのカテゴリに入るかを容易に理解するであろう。いずれか２つのこのようなｍｍ波装置を相手側と比較した場合にこれらの複雑性及び機能に基づいて分類できるように、互いに対して分類が行われる。従って、厳密には、標準規格が完成するまでは上述した仕様を利用することはできない。ＳＤ装置とＡＤ装置との間の比較に関連して、より高い又は低いデータレート又は距離といった相対語を常に使用する。
【００２５】
これらの相対的に短い距離及び低いデータレートにも関わらず、ＳＤ型装置の最も単純なものは、ストリーミングビデオの送信における用途又はその他の用途に応用することができるが、これらの装置の制限された距離又はスループットにより、これらの用途はユーザにとって不便なものになる。本発明の実施形態によれば、家庭環境内においてＳＤ型装置の能力により強いられる制限の無いより便利な通信を提供することなどを目的とした、一時的にＳＤ型装置を（相対語で定義される２又は３種類の装置を含むべく上記で定義したような）ＡＤ型装置に変換するためのアダプタが提供される。
【００２６】
ここで図１を参照すると、ＳＤ型装置の１つの企図される用途を示している。この説明図では、２つのＳＤ型装置１０が、それぞれのアンテナ１４を使用して近距離で、（１〜３又は５メートル未満のようなわずか数メートルなどの）比較的短い距離により分離され、恐らくは中間障害物が存在しない状態のラインオブサイト通信様式で互いに通信している。一般に、このような通信は、アンテナ指向性の利得を十分に生かすために装置を互いに向け合うことにより行われる。相対的に単純な変調及び検出方式が、最適条件に基づく比較的低いデータレートでのデータ通信を提供する。
【００２７】
従来のＡＤ型装置２０を図２に示しており、この場合装置２０は、より高度な変調、ビーム形成及び／又は操作アンテナ２４及びより高出力な送信を利用して、（約１０メートル又は恐らくこれよりも長い）より長い距離のＮＬＯＳ通信を可能にする。図示してはいないが、２つのＡＤ装置の通信機能を顕著に低下させることのない、ラインオブサイトに対する様々な障害物が存在する可能性がある。
【００２８】
次に、図３に示す用途例について検討する。この用途では、ＳＤ型装置は、（テレビ、セットトップボックス、又はその他のビデオ受信機装置などの）テレビ受信機装置４０へアンテナ４４を介してストリーミングビデオを送信することに応用できる単純なアンテナ３４を有するハンドヘルド機器３０の形で具体化される。この用途では、ＳＤ型装置が負荷の低い用途及び近距離用に設計されているので、このＳＤ型装置の制限された距離により、この用途がユーザにとって不便なものになる可能性がある。従って、このＳＤ装置を利用してビデオをテレビ受信機装置４０にストリーミングするためには、装置をテレビ受信機装置から（１メートルほどの）短距離内に保持又は配置して、しっかりとテレビ受信機装置へ向けることが必要となり得る。また、ＳＤ装置は低電力ではあるが、ストリーミングビデオの連続送信が、装置に電力を供給するバッテリに重い負担をかける可能性があり、ひいては必然的に電源アダプタを使用することによってプロセスがさらに複雑になる。本発明による実施形態によれば、家庭環境内におけるより便利な通信を提供することなどを目的として、一時的にＳＤ型装置をＡＤ型装置に変換するためのアダプタが提供される。本明細書では、このような装置を、トランシーバドッキングステーション（ＴＤＳ）、又は同様に、双方向で行われるそれぞれの通信をトランスレート又はトランスコードするトランスレーショントランシーバと呼ぶ。しかしながら、本発明による実施形態は、実際の機械的なドッキングステーション又はクレードルを組み込むことはできないが、トランスレーショントランシーバの適当な近くにＳＤを単純に配置することにより動作することができる。
【００２９】
「ドッキングステーション」という用語は、ＳＤ装置をドッキングステーションに電気的に及び／又は機械的に結合できることを示唆するように広義に解釈すべきである。ドッキングステーションは、クレードル、又は適切な動作を可能にするためにＳＤ装置を物理的に受け入れて物理的に並置するその他の機械的構造を組み込むことができる。いくつかの他の実施形態では、ドッキングステーションが、データ転送用の電気接続を提供するための、及び／又は、ＳＤ型装置に電力を提供するためのその他のメカニズムを組み込むことができる。現在のところ、ＳＤ型装置を受け入れるためにクレードルを組み込んだドッキングステーションが好まれているが、本教示を検討することにより、当業者にはその他の機械的及び電気的構成が想起されるであろう。
【００３０】
ＳＤ型装置を受け入れるためのクレードルを組み込んだトランシーバドッキングステーション（ＴＤＳ）１００及びトランスレーティング／トランスコーディングトランシーバを１つの実施形態の形で図４に概略図で示している。ＴＤＳ１００は、ＳＤに対するトランシーバとして機能し、ＳＤからのデータを中継すると同時に、送受信されるシグナリング信号をＡＤと互換性のあるフォーマットに変換する。好ましい実施形態では、ドッキングステーションのＡＤ側は、より複雑なＡＤ仕様の必須機能の全て、並びに全ての任意の機能を有するが、様々な任意の機能セットは引き続き進化し得るので、これを限定的に考えるべきではない。本実施形態では、ドッキングステーションを非接触的なものにして、クレードルがＳＤ装置をＴＤＳ  ＳＤ無線アンテナ１０４へ向けるようにすることができる。ＳＤ装置からの信号が受信（送信）されてＳＤ型ＭＡＣからＡＤ型ＭＡＣに変換され、これらがアンテナ１０８（好ましくは、インテリジェントアンテナアレイ）を介して所望のＡＤ型装置、テレビ受信機装置４０などの受信者装置との通信を確立する。これにより、ＳＤの近距離、制御信号、（単複の）変調方式及びデータレートと同時に、その後のＡＤ互換変調、制御、長距離、及び高データレートへのデータの変換もサポートする、ＳＤ型装置とＡＤ型装置との間のコンバータが効果的に作成される。データレートがマッチしない場合には、必要に応じてＡＤ通信ストリームでヌルパケットを代用することができる。ＴＤＳは、ＡＤトランシーバ及びアンテナアレイを利用してＮＬＯＳ通信をサポートする。従って、ＴＤＳ１００は、基本的にはＳＤ型装置をＡＤ型装置に（文字通りに又は機能的に）「ドッキング」できるようにするＡＤ型装置として機能し、よりロバストなＡＤ型通信チャネルを使用してＳＤ型データ及び制御信号を所望の受信者装置に高出力で中継する。
【００３１】
これにより、ＳＤ型装置は、例えば大きな部屋を横切ってコンテンツをＡＤ型装置へ／から送信／受信しながら、連続的に作動できるようになる。１つの例示的な用途は、十分な記憶域を有していない、又は他の何らかの理由でＳＤ型装置からのファイル転送を受信できず、従ってファイルストリーミングを必要とするシンク装置（テレビ受信機装置４０などの受信者装置）の場合である。本ＴＤＳを使用することにより、制限された距離の不都合、従ってテレビ受信機装置４０から１メートル未満に存在すると同時に、ＳＤ型装置３０などのポータブル装置から映画をストリーミングするためにＳＤ装置をテレビ受信機装置へ向ける必要性が解消される。ＡＧＣを利用して、関連する距離に適した信号レベルを生成することができる。いずれかの要求される制御シグナリング、及びＡＤ型シグナリングとＳＤ型シグナリングとの間のトランスレーションを実行するために、必要に応じてＡＤ及びＳＤ型装置の標準規格の制御チャネルがサポートされる。
【００３２】
近距離では、ＳＤ３０及びＴＤＳ１００が互いに容易にシグナリングして出力を最適な低出力レベルに低減させることができる。このＳＤ型装置３０から送信を行うための低出力レベルは、ＳＤ型装置３０のバッテリ寿命を延ばすのに役立つ一方で、スペクトルの再使用及び干渉の最小化を可能にする。ＴＤＳ１００において遮蔽を仕様して、ＡＤスペクトルの再使用又はその他の干渉の場合に、ＡＤ型装置の送信信号がＳＤ型装置３０に干渉しないようにすることができる。送信時のトランシーバドッキングステーション１００のスループットはＳＤ型装置３０の低スループットに制限されるが、データレートはＳＤ型装置３０のデータレートを上回ることができ、従ってデータレートをマッチさせるためにヌルパケット又はその他の情報の挿入を使用することができる。いくつかの実施構成では、ＳＤ型装置に充電又は給電を行うために、ドッキングステーションに電源又は充電器回路を提供することができる。これは、単純な電源プラグコネクタ又は接点の形で、又は非接触型誘導充電により実現することができる。このような充電回路は任意であり、本発明による全ての実施形態で見られるわけではない。
【００３３】
ここで図５を参照すると、いくつかの実施形態によるトランシーバドッキングステーション１００を示している。この実施形態では、ＳＤ型装置３０をＴＤＳ１００の近くに配置して、ＴＤＳ１００がアンテナ１０４において良好な受信を行うのに適した方向にアンテナを向けるために、ＳＤ型装置３０が、１１２で概略的に示すクレードル又はその他の都合のよいレセプタクルにドッキングする。図示の実施形態では、ＳＤ型装置３０に充電／再充電／給電を行うために誘導充電メカニズム１１６を提供しているが、以下で説明するようにその他の構成も可能である。
【００３４】
ＴＤＳ１００は、この図に示す比較的詳細な表示により、回路の観点からいくつかの形を取ることができる。しかしながら、正確な回路構成は、標準規格が展開したときのＳＤ及びＡＤ型装置の最終的仕様により、本発明による実施形態から逸脱することなく異なる場合がある。この実施形態では、ＳＤ型装置からの信号がアンテナ１０４で受信され、ＳＤ型トランシーバ１２０の受信機部分により処理されて処理用のダウンコンバート信号を生成する。受信機の動作の一部として、ＳＤ型装置からの信号を低雑音増幅器（ＬＮＡ）によって処理することができ、このようなＬＮＡ１２４は、便宜上外部的に示してはいるが、トランシーバ１２４の受信機部分の一部と考えることができる。一般に、このようなＬＮＡ１２４は、出力ではなく着信信号の信号対雑音比を保つために信号チェーン内の最初の部分に位置し、強すぎる入力信号を減衰するために１未満の利得を提供することもできる。従って、いくつかの実施形態では、実際にＬＮＡ１２４を減衰器として実現することができる。ＬＮＡ１２４はＡＧＣ（図示せず）を組み込むことができる。
【００３５】
ＳＤ型トランシーバからＳＤ型復調器／復号器１２８にダウンコンバート信号が渡され、ここでＳＤ型装置の標準規格に提供される変調方式のいずれか（及び好ましくは全て）によりＳＤ信号が復調される。復調及び復号器１２８はまた、ＳＤ型装置３０から受信したデータ及びシグナリングの誤り訂正を行うための、本図では外部的に示す順方向誤り訂正復号器及び符号器（ＦＥＣ）１３２も組み込むことが好ましい。
【００３６】
ＳＤ復調器／復号器１２８はまた、例えば、位相ロックループ（ＰＬＬ）、及びＳＤ型装置３０から受信した信号からクロッキング情報を回復するための基準クロックを使用してＳＤ型装置３０と同期して正確なデータ回復を可能にするクロック回復回路１３４も組み込む。このようなクロック回復は、いずれかの従来の方法で行うことができる。
【００３７】
データ及びシグナリングが復調器／復号器１２８で復号化されると、シグナリングトランスレータブロック１３８において、シグナリングがＳＤ互換シグナリングからＡＤ互換シグナリングにトランスレートされる。シグナリングトランスレータ１３８からトランスレートされたシグナリングのように、誤り訂正を受けたデータがＦＥＣ１３２からＡＤ型符号器／変調器１４２に渡される。次に、このトランスレート済みシグナリング及び回復済みデータが、１４２においてＡＤ型装置の仕様に準拠して変調及び符号化される。ＡＤ型装置はＳＤ型装置よりも大きな帯域幅を有することができるので、１４６においてパケットスタッフィングを使用して、送信データレートを２つのフォーマット間で均等化するためのフィラーを提供することができる。次に、ＡＤ型符号器／変調器の出力がＡＤ型送信機１５０に供給され、この出力をＡＧＣ１５４により、送信出力を（ＴＶ４０などの）受信者装置との固体通信に必要な出力に低減するようにＡＧＣ制御することができる。次に、送信機が送信のためにこの出力をインテリジェントアンテナアレイ１０８へ送る。アンテナアレイ１０８は、提案される標準規格に準拠してビーム形成及び操作制御１５４を使用して動作することができる。
【００３８】
本実施形態は双方向通信を想定しており、この場合インテリジェントアンテナアレイ１０８（又は別のインテリジェントアンテナアレイ）が、例えばテレビ受信機装置４０からの着信信号も受信し、ブロック１５４によりアンテナの特性を操作して、この着信信号の受信を最適化する。インテリジェントアンテナアレイ１０８における受信信号をＡＤ型受信機１６０で処理して、ＡＤ型復調器／復号器１６４における復号化及び復調のために受信信号をダウンコンバートする。トランシーバ１２０の受信機部分のように、ＡＤ型受信機１６０は、低雑音増幅器１６８又は減衰器を組み込むことができ、ＡＤ型復調器／復号器１６４は、クロック回復回路１７２を組み込むことができる。
【００３９】
１７６において、ＡＤ型シグナリングからＳＤ型シグナリングへのシグナリングトランスレーションが行われ、このようなシグナリングが、ＳＤ型データに変換された際に潜在的に高いデータレートタイプであるＡＤデータのデータレートの均等化を支援するために使用されるデータバッファ１８２へ転送される。データバッファリングの使用に加え、装置１００はまた、ＳＤ装置３０の低機能にマッチさせるために、データのＡＤソースをシグナリングして（例えば、肯定応答プロトコル又は他のそのデータレートマッチング技術などの）様々なシグナリング技術を使用してデータレートを「絞る」こともできる。同様に、ＦＥＣ１８６において復調済みデータが誤り訂正及び誤り訂正符号化を受け、同様に、このデータがＳＤ型変調器／符号器１９０へ転送されて、トランシーバ１２０の送信機部分によりＳＤ装置３０へ送信される。
【００４０】
（例えば、依然として討議中の標準規格によるものではないが、説明例として１０×１０ブロックのデータ対１６×２２ブロックのように）ＡＤ型及びＳＤ型の通信標準のブロックサイズは同じものである必要はない。上述の復調及び復号化動作、並びに変調及び符号化動作は、データを１ブロックフォーマットから別のフォーマットに変換するステップを部分的に含むことになる。説明した順方向誤り訂正は、受信データ内の誤りの訂正、並びに再送信する予定のデータへの誤り訂正符号化の追加の両機能を概略的に表すことを意図するものである。当業者であれば、これらの機能を得るために、ＦＥＣブロックの位置及び特定の構成を図示のものから変更できることを理解するであろう。
【００４１】
１つの実施形態では、ＦＥＣブロックが復調機能の一部を形成することができる。このＦＥＣブロックは、復調済みデータの誤りを識別して訂正する。別のＦＥＣブロックは、発信データに誤り訂正符号化を加えるために、符号化及び変調ブロックの一部を形成する。ＳＤ型装置及びＡＤ型装置のＦＥＣは、ブロックサイズを変更できるのと同じように必ずしも同じものでなくてもよい。しかしながら、いずれにせよＳＤ又はＡＤ標準が確立されたら、誤り訂正符号化はこのような適用される標準に準拠すべきである。さらに、好ましい実施形態では、個々の装置が、適用される必須の及び任意の標準ごとにブロックサイズ及びＦＥＣを最適化するようになる。
【００４２】
好ましい実施構成によれば、ＳＤ型復調器／復号器が、全ての必要な変調タイプ及びデータレート、並びに全ての任意の変調及びデータレートをサポートしなければならない。このように実施された場合、これによりトランシーバがあらゆるタイプのＳＤ装置と通信できるようになるとともに、通信リンクをＳＤ型装置がサポートできる最速にまで最大化する通信モードを整えることができる。
【００４３】
同様に、ＡＤ型符号器／変調器は、トランシーバがあらゆるＡＤ型装置と通信できるようにする一方で、通信リンクをＡＤ型装置がサポートする最速通信に最大化するために、全ての必須の変調方式及びデータレート、並びに全ての任意の変調方式及びデータレートをサポートしなければならないことが好ましい。
【００４４】
ＳＤ型変調器／符号器及びＡＤ型復調器及び復号器に同じ条件を適用すべきであることが好ましい。しかしながら、当業者であれば、本発明による実施形態から逸脱することなくこれらの優先事項からの変形を実現できることを理解するであろう。
【００４５】
ＡＤ型送信機は、本発明による実施形態から逸脱することなく、１又はそれ以上の外部的又は内部的に調整可能な又は固定の電力増幅器を利用することができる。
【００４６】
ここで図６を参照すると、ＴＤＳの別の実施形態２００を示している。この実施形態は、例えば、充電メカニズム２１６が、充電器１１６におけるような誘導充電に依拠するのではなくいずれかの適当なハード接続端末又は配線を介して直接配線されていることを除き、図５のＴＤＳ１００として示した実施形態と同じものであってもよい。従って、様々な実施形態のあらゆる数の変形例において直接又は間接充電（及び電力供給）の両方の機能が想定される。この説明図では、クロック回復及びＬＮＡの明示的な包含を省くことによりトランシーバの図が若干簡略化されているが、これらの機能は関連する機能ブロック内で実行することができる。この説明図からの削除は説明図を簡略化するためのものであるが、本発明による実施形態から逸脱することなく多くの実現が可能であり、また本教示を検討することにより当業者にはこのことが明白となろう。
【００４７】
図７は、さらに別の実施形態３００を示しており、この場合ドッキングステーション又はクレードル装置は存在しても、或いは存在しなくてもよく、また充電メカニズムは示していない。従って、ＳＤからＡＤへ及びＡＤからＳＤへのトランスレーションを、いずれの充電動作からも独立して実行し、あらゆる種類の物理的相互接続を伴わずにトランスレーショントランシーバ装置３００の近くに単に配置されたＳＤ型装置３０と同等に機能するトランスレーショントランシーバ内でこれを実現することができる。例えば、ＳＤ型装置をトランスレーショントランシーバ３００の近くのテーブル又はその他の場所に単に配置することにより、このような実施形態を動作させることができる。ＳＤ型装置が使用するあらゆる充電又は給電機能を通常の方法で単独で利用して、このようなトランスレーショントランシーバ３００により供給されるような電力を必要とせずに装置の充電又は給電のいずれかを行うことができる。実際に、ＴＤＳ装置の実施形態１００及び２００は、何らかのドッキング及び／又は充電機能を組み込んだトランスレーショントランシーバである。従って、ＴＤＳという用語が、いずれかの一体型充電又は給電メカニズムの有無に関わらず、ＳＤ型装置３０用のクレードル又はその他のレセプタクルを含むことを意図したものであるという解釈の下で、これらの用語を置き換えて利用してもよい。
【００４８】
従って、いくつかの実施形態によれば、トランスレーショントランシーバ装置が、ＳＤ型装置互換送信を受信するための６０ＧＨｚ帯域受信機を有する。復調器がＳＤ型送信を復調する。復号器が、復調済みのＳＤ型送信を受信データに復号化する。ＡＤ型符号器が受信データを符号化して、ＡＤ型送信機互換データを生成する。ＡＤ型変調器が、ＡＤ型送信機互換データを変調する。ＡＤ型６０ＧＨｚ帯域送信機が、変調済みのＡＤ型送信機互換データを送信する。６０ＧＨｚ帯域受信機が、ＡＤ型装置互換送信を受信する。復調器がＡＤ型送信を復調する。復号器が、復調済みのＡＤ型送信を受信データに復号化する。ＳＤ型符号器が受信データを符号化して、ＳＤ型送信機互換データを生成する。ＳＤ型変調器が、ＳＤ型送信機互換データを変調する。ＳＤ型６０ＧＨｚ帯域送信機が、変調済みのＳＤ型送信機互換データを送信する。
【００４９】
いくつかの実施形態では、トランスレーショントランシーバ装置が、ＳＤ型トランシーバのバッテリを充電するための充電器をさらに有する。いくつかの実施形態では、ビーム形成可能及び操作可能アンテナアレイを使用して、ＡＤ型送信機が送信を行い、ＡＤ型受信機が受信を行う。いくつかの実施形態では、トランスレーショントランシーバ装置が、ＳＤ型装置を機械的に受け入れるためのクレードルを有する。いくつかの実施形態では、トランスレーショントランシーバ装置が、ＳＤ型装置に電力を供給してＳＤ型装置に充電又は給電を行うための電源を有する。いくつかの実施形態では、電源は、直接接続電源又は誘導電源のいずれであってもよい。
【００５０】
別の実施形態では、トランスレーショントランシーバ装置が、ＳＤ型装置互換送信を受信するための６０ＧＨｚ帯域受信機を有する。復調器がＳＤ型送信を復調する。復号器が、復調済みのＳＤ型送信を受信データに復号化する。ＡＤ型符号器が、受信データを符号化してＡＤ型送信機互換データを生成する。ＡＤ型変調器は、ＡＤ型送信機互換データを変調する。ＡＤ型６０ＧＨｚ帯域送信機が、変調済みのＡＤ型送信機互換データを送信する。
【００５１】
いくつかの実施形態では、トランスレーショントランシーバ装置が、ＳＤ型トランシーバのバッテリを充電するための充電回路を有する。いくつかの実施形態では、トランスレーショントランシーバ装置が、ＡＤ型装置互換送信を受信するための６０ＧＨｚ帯域受信機と、ＡＤ型送信を復調するための復調器と、復調済みのＡＤ型送信を受信データに復号化するための復号器と、受信データを符号化してＳＤ型送信機互換データを生成するためのＳＤ型符号器と、ＳＤ型送信機互換データを変調するためのＳＤ型変調器と、変調済みのＳＤ型送信機互換データを送信するためのＳＤ型６０ＧＨｚ帯域送信機とを有し、ＡＤ型送信機が、ビーム形成可能及び操作可能アンテナアレイを含む。
【００５２】
いくつかの実施形態では、トランスレーショントランシーバ装置が、ＳＤ型装置を機械的に受け入れるためのクレードルを有する。いくつかの実施形態では、トランスレーショントランシーバ装置が、ＳＤ装置に電力を供給してＳＤ型装置に充電又は給電を行うための電源を有する。いくつかの実施形態では、電源が直接接続電源及び誘導電源の一方を含む。
【００５３】
別のトランスレーショントランシーバ装置が、ＳＤ型装置互換送信を受信するための６０ＧＨｚ帯域受信機を有する。復調器がＳＤ型送信を復調する。復号器が、復調済みのＳＤ型送信を受信データに復号化する。ＡＤ型符号器が、受信データを符号化してＡＤ型送信機互換データを生成する。ＡＤ型変調器が、ＡＤ型送信機互換データを変調する。ＡＤ型６０ＧＨｚ帯域送信機が、変調済みのＡＤ型送信機互換データを送信する。６０ＧＨｚ帯域受信機が、ＡＤ型装置互換送信を受信する。復調器がＡＤ型送信を復調する。復号器が、復調済みのＡＤ型送信を受信データに復号化する。ＳＤ型符号器が、受信データを符号化してＳＤ型送信機互換データを生成する。ＳＤ型変調器が、ＳＤ型送信機互換データを変調する。ＳＤ型６０ＧＨｚ帯域送信機が、変調済みのＳＤ型送信機互換データを送信する。ビーム形成可能及び操作可能アンテナアレイが提供され、ＡＤ型送信機及びＡＤ型受信機が、このビーム形成可能及び操作可能アンテナアレイを使用する。クレードルがＳＤ型装置を機械的に受け入れる。電源が、ＳＤ型装置に電力を供給してＳＤ型装置に充電又は給電を行う。
【００５４】
いくつかの実施形態では、電源が直接接続電源及び誘導電源の一方を含む。いくつかの実施形態では、第１及び第２のクロック回復回路が、ＡＤ型受信信号及びＳＤ型受信信号からそれぞれクロック信号を回復する。
【００５５】
上記の実施形態のいくつかでは、ＳＤ型装置を、タイプＩ装置及びタイプII装置のハイブリッド機能を有する装置とすることができる。上記の実施形態のいくつかでは、ＡＤ型装置を、タイプII装置及びタイプIII装置のハイブリッド機能を有する装置とすることができる。上記の実施形態のいくつかでは、ＳＤ型装置を、タイプＩ装置及びタイプII装置の一方とすることができる。上記の実施形態のいくつかでは、ＡＤ型装置を、タイプII装置及びタイプIII装置の一方とすることができる。
【００５６】
説明した機能を実行する特定の回路とともにいくつかの実施形態について本明細書で説明したが、同等のプログラム済みプロセッサを使用して回路機能のいくつかを実行する他の実施形態も可能である。例えば、プログラム済みプロセッサ装置を使用してビーム操作、信号トランスレーション、復号化などを行うことができる。汎用コンピュータ、マイクロプロセッサベースのコンピュータ、マイクロコントローラ、光コンピュータ、アナログコンピュータ、専用プロセッサ、特定用途向け回路及び／又は専用配線で接続された論理回路、アナログ回路、複数のこのような装置及び集中構成又は分散構成におけるこのような装置の組み合わせを使用して、同等の代替実施形態を構成することもできる。特定用途向けハードウェア及び／又は専用プロセッサなどのハードウェアコンポーネントの同等物を使用して他の実施形態を実現することもできる。
【００５７】
いくつかの例示的な実施形態について説明したが、当業者には、上述の説明に照らして多くの代替、修正、置換及び変更が明らかになることが明白である。
【符号の説明】
【００５８】
３０  ＳＤ型装置
４４  アンテナ
１００  トランシーバドッキングステーション（ＴＤＳ）
１０４  アンテナ
１０８  インテリジェントアンテナアレイ
１１２  クレードル
１１６  誘導充電器
１２０  ＳＤ型トランシーバ
１２４  ＬＮＡ（低雑音増幅器）
１２８  ＳＤ型復調器／復号器
１３２  ＦＥＣ（順方向誤り訂正）
１３４  クロック回復
１３８  シグナリングトランスレータ
１４２  ＡＤ型符号器／変調器
１４６  パケットスタッフィング
１５０  ＡＤ型送信機
１５４  ＡＧＣ（自動利得制御）
１５４  ビーム形成及び操作制御
１６０  ＡＤ型受信機
１６４  ＡＤ型復調器／復号器
１６８  ＬＮＡ（低雑音増幅器）
１７２  クロック回復
１７８  シグナリングトランスレータ
１８２  データバッファ
１８６  ＦＥＣ（順方向誤り訂正）
１９０  ＳＤ型変調器／符号器
【図１】
2011509636.tif 000003
【図２】
2011509636.tif 000004
【図３】
2011509636.tif 000005
【図４】
2011509636.tif 000006
【図５】
2011509636.tif 000007
【図６】
2011509636.tif 000008
【図７】
2011509636.tif 000009
【国際調査報告】
2011509636.tif 000010